(57)【要約】【課題】無用の施錠が行なわれることを抑制することができる施錠システム及び車輌を提供する。【解決手段】施錠システム５は、車載制御装置３、可搬型の無線通信機４、及び車輌１の給油口の蓋１５の開閉を検出する蓋開閉検出部５２を備える。制御部３０は、通信部３３と無線通信機４との間の無線信号の送受信に応じて、車輌１のドア１１の施錠に係る制御を行なう。ただし、給油口の蓋１５が開放されている場合、ドア１１を施錠せずに運転手が降車しても、短時間で戻ってくる可能性が高い。従って、制御部３０は、ドア１１が解錠されている場合、給油口の蓋１５が開放されているときには、ドア１１の施錠に係る制御を行なわない。つまり、運転手が降車したとしても、給油口の蓋１５が開放されているときには、解錠されているドア１１が自動的に施錠されることが抑制される。【選択図】図１
2014198938.tif 000002
【特許請求の範囲】
【請求項１】
可搬型の無線通信機と、
該無線通信機との間で無線通信を行なう無線通信手段、及び、該無線通信手段と前記無線通信機との間の無線信号の送受信に応じて、複数の開閉体の内の一の開閉体の施錠に係る制御を行なう施錠制御手段を有する施錠制御装置と
を備える施錠システムにおいて、
他の開閉体の開／閉を検出する開閉検出部を備え、
前記施錠制御手段は、前記一の開閉体が解錠されている場合、前記開閉検出部の検出結果が前記他の開閉体の開放を示しているときには、前記一の開閉体の施錠に係る制御を行なわないようにしてあることを特徴とする施錠システム。
【請求項２】
前記一の開閉体は車輌のドアであり、前記他の開閉体は前記車輌の前記ドアとは異なる開閉部であり、
前記施錠制御手段は、前記無線通信手段と前記無線通信機との間の無線信号の送受信に応じて、前記ドアの解錠に係る制御を行ない、前記ドアの解錠に係る制御を行なった後、前記開閉検出部の検出結果が前記開閉部の開放を示しているときには、前記ドアの施錠に係る制御を行なわないようにしてあることを特徴とする請求項１に記載の施錠システム。
【請求項３】
前記施錠制御手段が前記ドアの解錠に係る制御を行なった後で、前記無線通信手段と前記無線通信機との間の無線信号の送受信に応じて、所定の範囲内における所定の無線通信機の存否を判定する存否判定手段を更に備え、
該存否判定手段が否と判定した場合であって、前記開閉検出部の検出結果が前記開閉部の閉鎖を示しているとき、前記施錠制御手段は、前記ドアの施錠に係る制御を行なうようにしてあることを特徴とする請求項２に記載の施錠システム。
【請求項４】
前記ドアの開／閉を検出するドア開閉検出部と、
該ドア開閉検出部の検出結果に基づき、閉鎖されていた前記ドアが開放されてから再び閉鎖されたか否かを判定する開閉判定手段と、
該開閉判定手段が、前記ドアが再び閉鎖されたと判定してからの経過時間を計時する計時手段と
を更に備え、
前記施錠制御手段は、前記ドアの解錠に係る制御を行なった後、前記開閉検出部の検出結果が前記開閉部の開放を示している場合であっても、前記計時手段の計時結果が所定経過時間を超過したときには、前記ドアの施錠に係る制御を行なうようにしてあることを特徴とする請求項２又は３に記載の施錠システム。
【請求項５】
ドアと、
該ドアとは異なる開閉部と、
車室の内部に配された操作部と、
該操作部の操作に応じて前記開閉部を開放する開放部と、
外部と無線通信を行なう無線通信手段、及び、該無線通信手段と外部との無線信号の送受信に応じて、前記ドアの施錠／解錠に係る制御を行なう制御手段を有する車載制御装置と
を備える車輌において、
前記開閉部の開／閉を検出する検出部を備え、
前記制御手段は、前記ドアの解錠に係る制御を行なった後、前記検出部の検出結果が前記開閉部の開放を示している場合には、前記ドアの施錠に係る制御を行なわないようにしてあることを特徴とする車輌。
【発明の詳細な説明】
【技術分野】
【０００１】
本発明は、可搬型の無線通信機を用いて開閉体の施錠／解錠を行なう施錠システム及び車輌に関する。
【背景技術】
【０００２】
従来、キーレスエントリシステム又はスマートエントリシステム等の車輌用施錠システムが提案されている（特許文献１参照）。
車輌用施錠システムでは、運転手が所持する可搬型の無線通信機と車載制御装置との間の無線信号の送受信に応じて、車輌のドアの施錠／解錠が行なわれる。キーレスエントリシステムの場合、無線信号の送受信は、無線通信機に設けられた施錠用／解錠用の操作ボタンを運転手が操作したときに行なわれる。スマートエントリシステムの場合、無線信号の送受信は、車輌に設けられた施錠用／解錠用の操作ボタンを運転手が操作したときに行なわれる。
【０００３】
このような車輌用施錠システムは、保安性を高めるために、ウォークアウェイロック機能（以下、ＷＡＬ機能という）を有していることがある。ＷＡＬ機能とは、運転手による操作ボタンの操作が行なわれずとも、例えば運転手がエンジンを切った後で降車し、閉めたドアを施錠しないまま車輌から立ち去ると、自動的にドアが施錠される機能である。
特許文献１に記載の車輌用施錠システム（文中「キーレスエントリシステム」）の場合、エンジンが停止していれば、車載制御装置は定期的に無線通信機へ所定の無線信号（以下、呼出信号という）を送信する。
【０００４】
呼出信号を受信した無線通信機は、受信した呼出信号に基づいて認証処理を行ない、認証に成功すると、車載制御装置へ所定の無線信号（以下、応答信号という）を送信する。従って、無線通信機と車載制御装置との間で無線通信が可能な範囲（以下、通信エリアという）内に無線通信機が存在していれば、車載制御装置は、呼出信号の送信から所定時間以内に応答信号を受信する。
呼出信号の送信から所定時間以内に応答信号を受信した車載制御装置は、受信した応答信号に基づいて認証処理を行ない、認証に成功すると、通信エリア内に無線通信機が存在する（延いては運転手が車室内部又は車輌近傍に存在する）と判定する。このとき、車載制御装置は、解錠されているドアの施錠を行なわない。
【０００５】
一方、呼出信号の送信から所定時間以内に応答信号を受信することができなかった場合、車載制御装置は、通信エリア内には無線通信機が存在しない（延いては運転手が車輌から立ち去った）と判定する。このとき、車載制御装置は、解錠されているドアの施錠を行なう。
【先行技術文献】
【特許文献】
【０００６】
【特許文献１】特開平５−１０６３７６号公報
【発明の概要】
【発明が解決しようとする課題】
【０００７】
ところで、従来、フューエルリッドオープナを備えた車輌が利用されている。フューエルリッドオープナは、車室内部に配された操作レバーと、操作レバーが操作された場合に、給油口の蓋（フューエルリッド）を開放する開放部とを有する。
また、近年、セルフサービス型のガソリンスタンドが普及している。
フューエルリッドオープナを備えた車輌の運転手は、セルフサービス型のガソリンスタンドにおいて、エンジンを切り、操作レバーを操作することによって給油口の蓋を開放した後で降車し、通常、閉めたドアを施錠しないまま、給油作業を行なう。このとき、運転手は無線通信機を携帯したまま降車することがある。
【０００８】
ところが、降車した運転手は、意図せず通信エリア内から出てしまうことがある。何故ならば、通信エリアは一般に車室内部、運転席ドア近傍、助手席ドア近傍、及びトランク（又はバックドア）近傍等であり、車輌のフロント近傍は通信エリア外だからである。
【０００９】
従って、降車した運転手が車輌のフロント側へ回ると、そこでＷＡＬ機能が働いてしまう。この結果、運転手は給油作業後、再び乗車するために、無線通信機又は車輌に設けられた操作ボタンを操作しなければならない。つまり、運転手の利便性が悪化する。また、無用の施錠／解錠による消費電力の無駄が生じる。
ただし、車輌が特許文献１に記載の車輌用施錠システムを備えている場合は、ＷＡＬ機能が働いてドアが施錠された後、運転手が助手席近傍又は運転席近傍に至ると、再びドアが自動的に解錠される。この場合、運転手の利便性が悪化することはない。とはいえ、無用の施錠／解錠による消費電力の無駄は生じる。
【００１０】
更に、ＷＡＬ機能を有する施錠システムは、車輌に限らず、例えば一般家庭の家屋に適用されることが考えられる。この場合、家屋の保安性は向上する。しかしながら、家人が郵便物の受け取り又はゴミ出し等で屋外に出て、短時間で戻ってくるつもりであるのに、家人が屋外に出たところでＷＡＬ機能が働き、扉が勝手に施錠されてしまうと不便である。
【００１１】
本発明は斯かる事情に鑑みてなされたものであり、その主たる目的は、無用の施錠が行なわれることを抑制することができる施錠システム及び車輌を提供することにある。
【課題を解決するための手段】
【００１２】
第１発明に係る施錠システムは、可搬型の無線通信機と、該無線通信機との間で無線通信を行なう無線通信手段、及び、該無線通信手段と前記無線通信機との間の無線信号の送受信に応じて、複数の開閉体の内の一の開閉体の施錠に係る制御を行なう施錠制御手段を有する施錠制御装置とを備える施錠システムにおいて、他の開閉体の開／閉を検出する開閉検出部を備え、前記施錠制御手段は、前記一の開閉体が解錠されている場合、前記開閉検出部の検出結果が前記他の開閉体の開放を示しているときには、前記一の開閉体の施錠に係る制御を行なわないようにしてあることを特徴とする。
【００１３】
第２発明に係る施錠システムは、前記一の開閉体は車輌のドアであり、前記他の開閉体は前記車輌の前記ドアとは異なる開閉部であり、前記施錠制御手段は、前記無線通信手段と前記無線通信機との間の無線信号の送受信に応じて、前記ドアの解錠に係る制御を行ない、前記ドアの解錠に係る制御を行なった後、前記開閉検出部の検出結果が前記開閉部の開放を示しているときには、前記ドアの施錠に係る制御を行なわないようにしてあることを特徴とする。
【００１４】
第３発明に係る施錠システムは、前記施錠制御手段が前記ドアの解錠に係る制御を行なった後で、前記無線通信手段と前記無線通信機との間の無線信号の送受信に応じて、所定の範囲内における所定の無線通信機の存否を判定する存否判定手段を更に備え、該存否判定手段が否と判定した場合であって、前記開閉検出部の検出結果が前記開閉部の閉鎖を示しているとき、前記施錠制御手段は、前記ドアの施錠に係る制御を行なうようにしてあることを特徴とする。
【００１５】
第４発明に係る施錠システムは、前記ドアの開／閉を検出するドア開閉検出部と、該ドア開閉検出部の検出結果に基づき、閉鎖されていた前記ドアが開放されてから再び閉鎖されたか否かを判定する開閉判定手段と、該開閉判定手段が、前記ドアが再び閉鎖されたと判定してからの経過時間を計時する計時手段とを更に備え、前記施錠制御手段は、前記ドアの解錠に係る制御を行なった後、前記開閉検出部の検出結果が前記開閉部の開放を示している場合であっても、前記計時手段の計時結果が所定経過時間を超過したときには、前記ドアの施錠に係る制御を行なうようにしてあることを特徴とする。
【００１６】
第５発明に係る車輌は、ドアと、該ドアとは異なる開閉部と、車室の内部に配された操作部と、該操作部の操作に応じて前記開閉部を開放する開放部と、外部と無線通信を行なう無線通信手段、及び、該無線通信手段と外部との無線信号の送受信に応じて、前記ドアの施錠／解錠に係る制御を行なう制御手段を有する車載制御装置とを備える車輌において、前記開閉部の開／閉を検出する検出部を備え、前記制御手段は、前記ドアの解錠に係る制御を行なった後、前記検出部の検出結果が前記開閉部の開放を示している場合には、前記ドアの施錠に係る制御を行なわないようにしてあることを特徴とする。
【００１７】
第１発明にあっては、施錠システムは、可搬型の無線通信機、施錠制御装置、及び開閉検出部を備える。
施錠制御装置は、無線通信手段及び施錠制御手段を有する。
無線通信手段は、無線通信機との間で無線通信を行なう。施錠制御手段は、無線通信手段と無線通信機との間の無線信号の送受信に応じて、一の開閉体の施錠に係る制御を行なう。例えば、施錠制御手段は、無線信号の送受信の成否、又は受信した無線信号による認証の成否等、無線信号の送受信に係る所定の条件が成立した場合に、一の開閉体の施錠に係る制御を行なう。ここで、一の開閉体とは、車輌のドア、又は家屋の扉等である。
【００１８】
開閉検出部は、他の開閉体の開／閉を検出する。ここで、他の開閉体とは、車輌の給油口の蓋、又は家屋の窓等である。
他の開閉体が開放されている場合、一の開閉体を施錠せずにユーザがその場を離れても、短時間で戻ってくる可能性が高い。
従って、施錠制御手段は、一の開閉体が解錠されている場合、開閉検出部の検出結果が他の開閉体の開放を示しているときには、一の開閉体の施錠に係る制御を行なわない。つまり、たとえユーザがその場を離れたとしても、他の開閉体が開放されているときには、解錠されている一の開閉体が自動的に施錠されることが抑制される。
【００１９】
第２発明にあっては、施錠制御手段は、無線通信手段と無線通信機との間の無線信号の送受信に応じて、車輌のドアの施錠／解錠に係る制御を行なう。例えば、施錠制御手段は、無線信号の送受信の成否、又は受信した無線信号による認証の成否等、無線信号の送受信に係る所定の条件が成立した場合に、車輌のドアの施錠／解錠に係る制御を行なう。
開閉検出部は、車輌のドアとは異なる開閉部の開／閉を検出する。この開閉部とは、車輌の給油口の蓋、又はボンネット等である。
【００２０】
開閉部が開放されている場合、ドアを施錠せずに運転手が降車しても、短時間で戻ってくる可能性が高い。
従って、施錠制御手段は、ドアの解錠に係る制御を行なった後、開閉検出部の検出結果が開閉部の開放を示している場合には、ドアの施錠に係る制御を行なわない。つまり、たとえ運転手が降車したとしても、開閉部が開放されているときには、解錠されているドアが自動的に施錠されることが抑制される。
【００２１】
第３発明にあっては、施錠システムは、存否判定手段を更に備える。
存否判定手段は、施錠制御手段がドアの解錠に係る制御を行なった後で、無線通信手段と無線通信機との間の無線信号の送受信に応じて、所定の範囲内における所定の無線通信機の存否を判定する。
無線信号の送受信の成功、及び受信した無線信号による認証の成功等、無線信号の送受信に係る所定の条件が成立した場合、所定の範囲内に所定の無線通信機が存在する、と看做せる。これは、ドアの解錠後でも、運転手が通信エリア内に存在することを意味する。
【００２２】
一方、このような所定の条件が成立しない場合、所定の範囲内に所定の無線通信機が存在しない、と看做せる。これは、ドアの解錠後、運転手が通信エリア外へ出たことを意味する。そして、開閉部が閉鎖されている場合、通信エリア外へ出た運転手は、そのまま車輌から立ち去る可能性が高い。
従って、存否判定手段が否と判定した場合であって、開閉検出部の検出結果が開閉部の閉鎖を示しているとき、施錠制御手段は、ドアの施錠に係る制御を行なう。つまり、開閉部が閉じられている状態で運転手が通信エリア外へ出たときには、解錠されているドアが自動的に施錠される。
【００２３】
第４発明にあっては、施錠システムは、ドア開閉検出部、開閉判定手段、及び計時手段を更に備える。
ドア開閉検出部は、ドアの開／閉を検出する。開閉判定手段は、ドア開閉検出部の検出結果に基づき、閉鎖されていたドアが開放されてから再び閉鎖されたか否かを判定する。このようなドアの開閉は、運転手の乗降を意味する。
計時時間は、開閉判定手段が、ドアが再び閉鎖されたと判定してからの経過時間を計時する。つまり、計時時間が計時する経過時間は、運転手が乗降してからの経過時間である。
【００２４】
運転手が乗降してからの経過時間が所定経過時間を超過した場合とは、車輌のドアが解錠された状態で長時間放置されている場合である。運転手は、開閉部を開放した後、何らかの事情で車輌から立ち去ったのかも知れないし、開閉部を閉鎖し忘れて車内に戻ってきているのかもしれない。何れにせよ、車輌のドアを長時間解錠されたままにしておくのは不用心である。
そこで、施錠制御手段は、ドアの解錠に係る制御を行なった後、開閉検出部の検出結果が開閉部の開放を示している場合であっても、計時手段の計時結果が所定経過時間を超過したときには、ドアの施錠に係る制御を行なう。故に、解錠されているドアが自動的に施錠される。
【００２５】
第５発明にあっては、車輌は、ドア、ドアとは異なる開閉部（例えば給油口の蓋、又はボンネット等）、操作部、開放部、車載制御装置、及び検出部を備える。この車載制御装置、検出部、及び車載制御装置が有する制御手段は、例えば第２発明に係る施錠システムが備える施錠制御装置、開閉検出部、及び施錠制御装置が有する施錠制御手段に対応する。
車室内部に配された操作部を運転手が操作すると、開放部は操作部の操作に応じて開閉部を開放する。つまり、運転手は降車せずして開閉部を開放することができる。このような車輌においてこそ、例えば第２発明に係る施錠システムは最も奏功する。
【発明の効果】
【００２６】
本発明の施錠システム及び車輌による場合、例えば短時間の外出又は降車等の際に、家人又は運転手等の意に反して、家屋の扉又は車輌のドア等が自動的に施錠されてしまうことを抑制することができる。
従って、無用の施錠／解錠による無駄なエネルギ消費を抑制することができる。また、無用に施錠された家屋の扉又は車輌のドア等を解錠するための操作が不要である。故に、家人又は運転手等の利便性を向上させることができる。
【図面の簡単な説明】
【００２７】
【図１】本発明の実施の形態１に係る車輌及び施錠システム（特に車載制御装置）の構成を示すブロック図である。
【図２】本発明の実施の形態１に係る車輌及び施錠システム（特に無線通信機）の構成を示すブロック図である。
【図３】施錠システムで実行される自動施錠処理の手順を示すフローチャートである。
【図４】施錠システムで実行される自動施錠処理の手順を示すフローチャートである。
【図５】本発明の実施の形態２に係る家屋及び施錠システムの構成を示すブロック図である。
【発明を実施するための形態】
【００２８】
以下、本発明を、その実施の形態を示す図面に基づいて詳述する。以下の説明では、図において矢符で示す上下、前後、及び左右を使用する。
【００２９】
実施の形態  １．
図１及び図２は、何れも、本発明の実施の形態１に係る車輌１及び施錠システム５の構成を示すブロック図である。図１には施錠システム５が備える車載制御装置（施錠制御装置）３の内部構成が示されており、図２には、施錠システム５が備える無線通信機４の内部構成が示されている。
車輌１は、車室１０、ドア（一の開閉体）１１、ドアロック操作部１２、ドアロック機構１３、ランプ１４、給油口の蓋（ドアとは異なる開閉部，他の開閉体）１５、蓋開放機構（開放部）１６、及び蓋開放操作部（操作部）１７を備える。
【００３０】
車室１０は、運転手及び同乗者が乗り込む空間である。車室１０の内部には、図示しない運転席及び助手席等が設けられている。
ドア１１は、運転席のドアである。ドア１１の外側及び内側夫々には、図示しないドア開閉操作部が設けられている。運転手は、ドア開閉操作部を操作するか、又はドア１１を押すことによって、施錠されていないドア１１を開閉する。
ドアロック操作部１２は、ドア１１の外側及び内側夫々に設けられた操作ボタンを備える。運転手は、閉鎖されたドア１１を施錠又は解錠する場合に、ドアロック操作部１２を操作する。ドアロック操作部１２は、運転手による操作を受けつけた場合に、ドアロック操作部１２が操作されたことを示す操作信号を車載制御装置３へ出力する。
【００３１】
ドアロック機構１３は、閉鎖されているドア１１を施錠／解錠するための機械機構と、この機械機構を駆動するための電動モータとを備える。ドアロック機構１３は、後述するロック制御信号が入力される都度、電動モータを作動させる。この結果、施錠されているドア１１が解錠されるか、又は、解錠されているドア１１が施錠される。
本明細書中では、簡単のため、ドア１１以外のドア、並びにドア１１以外のドアに係るドアロック操作部及びドアロック機構等に関する説明を省略する。
【００３２】
ランプ１４は、ハザードランプ又はルームランプ等である。
給油口の蓋１５は、車室１０の外部に配されている。従って、給油作業を行なう場合、車輌１に乗車している運転手は、一旦降車する必要がある。
蓋開放操作部１７は、車室１０の内部に配されている操作レバーである。更に詳細には、蓋開放操作部１７は、運転席に座っている運転手が容易に操作することが可能な位置に配されている。従って、給油作業を行なう場合、車輌１に乗車している運転手は、降車する前に蓋開放操作部１７を操作する必要がある。
【００３３】
蓋開放操作部１７が操作された場合、給油口の蓋１５が開放される。このために、蓋開放機構１６は、蓋開放操作部１７の操作に応じて給油口の蓋１５を開放するための機械機構、及び、この機械機構と蓋開放操作部１７とを機械的に接続するワイヤを備える。蓋開放操作部１７に対する操作は、蓋開放機構１６のワイヤを介して機械機構に伝達される。この結果、機械機構が作動し、給油口の蓋１５が開放される。開放された給油口の蓋１５は、給油作業後、運転手によって手動で閉鎖される。
蓋開放機構１６及び蓋開放操作部１７の構成は特に限定されないが、例えば、従来のいわゆるフューエルリッドオープナを車輌１の蓋開放機構１６及び蓋開放操作部１７として流用すれば、車輌１を簡便に構成することができる。
【００３４】
施錠システム５は、車輌１に適用される。施錠システム５は、ＷＡＬ機能を有する。一般に、ＷＡＬ機能は、車輌１のエンジンが停止している場合に働く。以下では、車輌１のエンジンは停止しているものとする。
施錠システム５の無線通信機４は、可搬型である。本実施の形態では、無線通信機４は、運転手が携帯しているものとする。
【００３５】
施錠システム５は、車載制御装置３及び無線通信機４の他、ドア開閉検出部５１、蓋開閉検出部（開閉検出部，検出部）５２、送信アンテナ部５３、及び受信アンテナ部５４を備える。無線通信機４を除く施錠システム５の各部は、車輌１に搭載されている。つまり、車載制御装置３、ドア開閉検出部５１、蓋開閉検出部５２、送信アンテナ部５３、及び受信アンテナ部５４は、施錠システム５の構成要素であるが、車輌１の構成要素でもある。
【００３６】
ドア開閉検出部５１は、ドア１１が開放されているか閉鎖されているかを検出する。このために、ドア開閉検出部５１は、例えばドア１１が開放されるとオフになり、閉鎖されるとオンになるリミットスイッチを有する。ドア開閉検出部５１は、ドア１１の開／閉を示す検出信号を車載制御装置３へ出力する。
ドア開閉検出部５１の構成は特に限定されないが、従来のキーレスエントリシステム又はスマートエントリシステム等で用いられるドア開閉検出部を車輌１のドア開閉検出部５１として流用すれば、車輌１及び施錠システム５を簡便に構成することができる。
【００３７】
蓋開閉検出部５２は、給油口の蓋１５が開放されているか閉鎖されているかを検出する。このために、蓋開閉検出部５２は、例えば給油口の蓋１５が開放されるとオフになり、閉鎖されるとオンになるリミットスイッチを有する。蓋開閉検出部５２は、給油口の蓋１５の開／閉を示す検出信号を車載制御装置３へ出力する。
【００３８】
蓋開閉検出部５２の構成も、特に限定されない。従来、フューエルリッドオープナ及びパワースライドドアを備える車輌が、給油口の蓋１５とパワースライドドアとが干渉し合うことを抑制するために、蓋開閉検出部を更に備えていることがある。この場合、蓋開閉検出部の検出結果が給油口の蓋１５の開放を示しているときには、パワースライドドアは作動しない。この蓋開閉検出部を車輌１の蓋開閉検出部５２として流用すれば、車輌１及び施錠システム５を簡便に構成することができる。
【００３９】
送信アンテナ部５３は、所定の通信エリアに対して、後述する呼出信号を送信する。このために、送信アンテナ部５３は、各指向性を有する第１〜第４の送信アンテナを有する。第１の送信アンテナは、車室１０の内部へ呼出信号を送信する。第２の送信アンテナは、ドア１１及び運転席側の後部座席のドアの近傍へ呼出信号を送信する。第３の送信アンテナは、助手席のドア及び助手席側の後部座席のドアの近傍へ呼出信号を送信する。第４の送信アンテナは、トランクの近傍へ呼出信号を送信する。従って、呼出信号の送信に係る通信エリアには、車室１０の内部と、ドア１１及び運転席側の後部座席のドアの近傍と、助手席のドア及び助手席側の後部座席のドアの近傍と、トランクの近傍とが含まれる。
【００４０】
受信アンテナ部５４は、上述の通信エリア内にて送信された応答信号（後述）を受信する。
本実施の形態では、送信アンテナ部５３の指向性によって通信エリアが規定されるが、これに限定されず、受信アンテナ部５４の指向性によって通信エリアが規定される構成でもよい。
なお、車輌１がトランクに替えてバックドアを備えている場合、送信アンテナ部５３における第４の送信アンテナは、バックドアの近傍へ呼出信号を送信する。
【００４１】
次に、無線通信機４の各部について説明する。
無線通信機４は、制御部４０、通信部４１、受信アンテナ４２、及び送信アンテナ４３を備える。
通信部４１は、車載制御装置３との間で無線通信を行なう。車載制御装置３からは、車載制御装置３を識別する装置識別情報を含む無線信号が送信される。通信部４１は、受信アンテナ４２を介して受信した無線信号を制御部４０に与える。
【００４２】
制御部４０は、通信部４１から与えられた無線信号に含まれる装置識別情報に基づいて所定の認証処理を行なう。以下では、この認証処理による認証には成功したものとして説明する。
本実施の形態では、車載制御装置３から送信される無線信号として、呼出信号を例示する。ここで、呼出信号及び応答信号は、車載制御装置３と無線通信機４との呼応に用いられる各所定の無線信号である。
【００４３】
通信部４１は、無線通信機４を識別する機器識別情報を含む無線信号を、送信アンテナ４３を介して送信する。呼出信号を受信した場合、通信部４１は、制御部４０に制御されて、送信アンテナ４３を介し、応答信号を送信する。
無線通信機４のハードウェア構成は、特に限定されないが、従来のキーレスエントリシステム又はスマートエントリシステム等で用いられる無線通信機のハードウェア構成と同様であれば、施錠システム５を簡便に構成することができる。
【００４４】
次に、車載制御装置３の各部について説明する。
車載制御装置３は、制御部３０、入力部３１、出力部３２、及び通信部（無線通信手段）３３を備える。
通信部３３は、送信アンテナ部５３及び受信アンテナ部５４を介して、無線通信機４との間で無線通信を行なう。通信部３３は、受信した無線信号を制御部３０に与える。また、通信部３３は、制御部３０に制御されて、無線信号を送信する。
【００４５】
入力部３１は、ドアロック操作部１２、ドア開閉検出部５１、及び蓋開閉検出部５２夫々と、信号線で個別に接続されている。出力部３２は、ドアロック機構１３及びランプ１４と信号線で個別に接続されている。なお、車載制御装置３は、入力部３１及び出力部３２に替えて、ＣＡＮ（Controller Area Network ）又はＬＩＮ（Local Interconnect Network）等の車内通信ネットワークを介してドアロック操作部１２、ドアロック機構１３、ランプ１４、ドア開閉検出部５１、及び蓋開閉検出部５２夫々と接続される入出力部を備えていてもよい。この入出力部は、車内通信ネットワークを介した通信機能を有する。
【００４６】
制御部３０は、ＣＰＵ（Central Processing Unit ）、ＲＯＭ（Read Only Memory）、及びＲＡＭ（Random Access Memory）等を用いてなる演算処理装置である。制御部３０のＣＰＵは、ＲＡＭを作業領域とし、ＲＯＭに格納されている制御プログラムに従って、各種の演算処理又は制御処理等を実行する。
【００４７】
制御部３０は、入力部３１を介して外部からの入力を受け付ける。制御部３０には、ドアロック操作部１２からの操作信号と、ドア開閉検出部５１及び蓋開閉検出部５２夫々からの検出信号とが入力される。
制御部３０は、出力部３２を介して外部への出力を行なう。制御部３０からドアロック機構１３へは、ドア１１の施錠／解錠を制御するためのロック制御信号が出力される。制御部３０からランプ１４へは、ランプ１４を点滅させるための点滅制御信号が出力される。
【００４８】
制御部３０は、通信部３３から与えられた無線信号に含まれる機器識別情報に基づいて所定の認証処理を行なう。以下では、この認証処理による認証には成功したものとして説明する。
制御部３０は、通信部３３に無線信号を送信させる。送信すべき無線信号が呼出信号である場合、通信部３３は、送信アンテナ部５３における第１〜第４の送信アンテナを所定順に用いて、各送信アンテナを介した呼出信号の送信を順次行なう。
制御部３０は、各送信アンテナを介した呼出信号の送信後、所定時間以内に応答信号を受信したか否かを送信アンテナ毎に判定する。
【００４９】
送信アンテナ部５３の通信エリア内に存在する無線通信機４は、呼出信号を受信することができる。呼出信号を受信した無線通信機４は、応答信号を送信する。この結果、車載制御装置３は、送信アンテナ部５３における第１〜第４の送信アンテナの何れかを介した呼出信号の送信後、所定時間以内に、受信アンテナ部５４を介して応答信号を受信する。
【００５０】
故に、例えば送信アンテナ部５３における第１の送信アンテナを介した呼出信号の送信後、所定時間以内に応答信号を受信した場合、通信エリア内である車室１０の内部に無線通信機４が存在することがわかる。同様に、例えば送信アンテナ部５３における第２の送信アンテナを介した呼出信号の送信後、所定時間以内に応答信号を受信した場合、通信エリア内であるドア１１及び運転席側の後部座席のドアの近傍に無線通信機４が存在することがわかる。
【００５１】
一方、通信エリア外に存在する無線通信機４には、呼出信号が届かない。従って、無線通信機４が応答信号を送信することはない。この結果、車載制御装置３は、送信アンテナ部５３における第１〜第４の送信アンテナの何れを介した呼出信号の送信後であっても、所定時間以内に応答信号を受信することができない。故に、送信アンテナ部５３における第１〜第４の送信アンテナ夫々を介した呼出信号の送信後、全ての送信アンテナについて所定時間以内に応答信号を受信しなかった場合、通信エリア内に無線通信機４が存在しないことがわかる。
通信エリア内における無線通信機４の存否は、通信エリア内における運転手の存否を意味する。
【００５２】
制御部３０は、ドア開閉検出部５１の検出信号がドア１１の閉鎖を示している場合、ドア１１の外側に設けられているドアロック操作部１２から操作信号が入力される都度、通信部３３に呼出信号を送信させる。呼出信号の送信後、応答信号を受信した場合、制御部３０は、ドアロック機構１３へロック制御信号を出力する。
また、制御部３０は、ドア開閉検出部５１の検出信号がドア１１の閉鎖を示している場合、ドア１１の内側に設けられているドアロック操作部１２から操作信号が入力される都度、ドアロック機構１３へロック制御信号を出力する。
【００５３】
呼出信号及び応答信号の送受信の結果としてドアロック機構１３へロック制御信号を出力した場合、又は、ＷＡＬ機能を実現すべくドアロック機構１３へロック制御信号を出力した場合、制御部３０は、ランプ１４へ点滅制御信号を出力する。
点滅制御信号が入力されたランプ１４は点滅する。これは、いわゆるアンサーバックである。ランプ１４の点滅は、通信エリア外からでも視認可能である。ランプ１４の点滅を視認した運転手は、ドア１１が施錠／解錠されたことを認識する。
【００５４】
図３及び図４は、施錠システム５で実行される自動施錠処理の手順を示すフローチャートである。ここでは、ドア１１は閉鎖及び施錠されているものとする。
降車している運転手は、例えば車輌１の運転を開始する場合に、ドアロック操作部１２を操作することによってドア１１を解錠し、更にドア１１を開放して乗車する。乗車した運転手は、ドア１１を閉鎖する。
【００５５】
一方、乗車している運転手は、例えば車輌１の運転を終了する場合に、ドアロック操作部１２を操作することによってドア１１を解錠し、更にドア１１を開放して降車する。降車した運転手は、ドア１１を閉鎖する。車輌１の運転を終了する運転手は、降車後、車輌１から立ち去る。
或いは、乗車している運転手は、車輌１に給油する場合に、蓋開放操作部１７を操作することによって給油口の蓋１５を開放し、ドアロック操作部１２を操作することによってドア１１を解錠し、更にドア１１を開放して降車する。降車した運転手は、ドア１１を閉鎖する。降車後、運転手は給油作業を行なう。給油作業の終了後、運転手は、再び車輌１に乗車すべく、ドア１１を開閉する。
【００５６】
図３に示すように、制御部３０は、例えばドアロック操作部１２が操作された結果として、ドアロック機構１３へロック制御信号を出力する（Ｓ１１）。Ｓ１１の処理の結果、施錠されていたドア１１が解錠される。このとき、ドア１１の外側に設けられているドアロック操作部１２が操作されたのであれば、Ｓ１１の処理の実行後、アンサーバックが行なわれる。
次に、制御部３０は、ドア開閉検出部５１からの検出信号に基づいて、閉鎖されていたドア１１が開放され、再び閉鎖されたか否か（図中「ドア開→閉？」）を判定する（Ｓ１２）。
【００５７】
ドア１１が閉鎖されたままであるか、又は、ドア１１が開放された後、まだ閉鎖されていない場合（Ｓ１２でＮＯ）、制御部３０は、再びＳ１２の処理を行なう。
閉鎖されていたドア１１が開放され、再び閉鎖された場合（Ｓ１２でＹＥＳ）、運転手は乗降したと考えられる。そこで、制御部３０は、経過時間の計時結果を“０”にリセットしてから経過時間の計時を開始する（Ｓ１３）。つまり、Ｓ１３の処理は、運転手の乗降からの経過時間の計時を行なう処理である。
【００５８】
次に、制御部３０は、通信エリア内に無線通信機４が存在するか否かを判定する（Ｓ１４）。このために、制御部３０は、前述したように、通信部３３を制御することによって、送信アンテナ部５３における第１〜第４の送信アンテナ夫々を介した呼出信号の送信を順次行なう。そして、制御部３０は、各送信アンテナを介した呼出信号の送信後、所定時間以内に応答信号を受信したか否かを送信アンテナ毎に判定する。
【００５９】
応答信号を受信した場合、即ち通信エリア内に無線通信機４が存在する場合（Ｓ１４でＹＥＳ）、制御部３０は、無線通信機４が車室１０の内部に存在するか否かを判定する（Ｓ１５）。
無線通信機４が車室１０の内部に存在する場合とは、運転手が乗車した場合であると考えられる。無線通信機４が車室１０の内部を除く通信エリア内に存在する場合とは、降車した運転手が通信エリア内に存在する（例えば通信エリア内を移動中である）と考えられる。
【００６０】
無線通信機４が車室１０の内部に存在する場合（Ｓ１５でＹＥＳ）、即ち、第１の送信アンテナを介した呼出信号の送信後、所定時間以内に応答信号を受信した場合、制御部３０は、経過時間が第１所定時間（所定経過時間）を超過したか否かを判定する（Ｓ１６）。
【００６１】
経過時間が第１所定時間を超過した場合とは、運転手の乗車から長時間が経過した場合である。そこで、制御部３０は、経過時間が第１所定時間を超過した場合（Ｓ１６でＹＥＳ）、経過時間の計時を終了し（Ｓ１７）、ドアロック機構１３へロック制御信号を出力する（Ｓ１８）。Ｓ１８の処理の結果、解錠されていたドア１１が自動的に施錠される。これにより、ＷＡＬ機能とは異なる自動ロック機能が実現される。そして、制御部３０は、自動施錠処理を終了する。
【００６２】
経過時間が第１所定時間以下である場合（Ｓ１６でＮＯ）、制御部３０は、ドア開閉検出部５１からの検出信号に基づいて、閉鎖されていたドア１１が開放され、再び閉鎖されたか否かを判定する（Ｓ１９）。
ドア１１が閉鎖されたままであるか、又は、ドア１１が開放された後、まだ閉鎖されていない場合（Ｓ１９でＮＯ）、制御部３０は、再びＳ１６の処理を行なう。
閉鎖されていたドア１１が開放され、再び閉鎖された場合（Ｓ１９でＹＥＳ）、運転手が降車したと考えられるため、制御部３０は、処理をＳ１３へ戻す。
【００６３】
一方、無線通信機４が車室１０の内部に存在しない場合（Ｓ１５でＮＯ）、即ち、無線通信機４が車室１０の内部を除く通信エリア内に存在する場合、運転手は降車し、また、通信エリア内に存在する。そこで、制御部３０は、処理をＳ１４へ戻す。
さて、通信エリア内に無線通信機４が存在しない場合（Ｓ１４でＮＯ）、即ち、応答信号を受信しなかった場合、運転手は降車し、また、通信エリア内には存在しない。そこで、制御部３０は、図４に示すように、蓋開閉検出部５２からの検出信号に基づいて、給油口の蓋１５が開放されているか否かを判定する（Ｓ３１）。
【００６４】
給油口の蓋１５が閉鎖されている場合（Ｓ３１でＮＯ）、降車した運転手は車輌１から立ち去った、と考えられる。故に、制御部３０は、経過時間の計時を終了し（Ｓ３２）、ドアロック機構１３へロック制御信号を出力する（Ｓ３３）。Ｓ３３の処理の結果、解錠されていたドア１１が自動的に施錠される。これにより、ＷＡＬ機能が実現される。この後、アンサーバックが行なわれる。そして、制御部３０は、自動施錠処理を終了する。
【００６５】
一方、給油口の蓋１５が開放されている場合（Ｓ３１でＹＥＳ）、降車した運転手は、給油作業を行なうために一旦通信エリア外へ移動した、と考えられる。このときＷＡＬ機能が働くと、運転手が再び乗車する際に、いちいちドアロック操作部１２を操作しなければならず、不便である。また、運転手が再び乗車することがわかっているのに、わざわざドア１１を施錠するのは無駄である。かといって、運転手が給油口の蓋１５を開け放したまま車輌１から立ち去ったのだとすれば、ドア１１を解錠されたままにしておくことは不用心である。
【００６６】
そこで、制御部３０は、経過時間が第２所定時間（所定経過時間）を超過したか否かを判定する（Ｓ３４）。ここで、第２所定時間は、Ｓ１６の処理で用いた第１所定時間と同じでもよく、異なっていてもよいが、通常、第２所定時間の方が長い。これらは、制御部３０に予め設定されている。
経過時間が第２所定時間を超過した場合（Ｓ３４でＹＥＳ）、給油作業後に再度乗車するはずだった運転手は、何らかの事情で車輌１から立ち去った、と考えられる。従って、制御部３０は、処理をＳ３２へ移す。この結果、ＷＡＬ機能が働く。
【００６７】
経過時間が第２所定時間以下である場合（Ｓ３４でＮＯ）、制御部３０は、ドア開閉検出部５１からの検出信号に基づいて、閉鎖されていたドア１１が開放され、再び閉鎖されたか否かを判定する（Ｓ３５）。
ドア１１が閉鎖されたままであるか、又は、ドア１１が開放された後、まだ閉鎖されていない場合（Ｓ３５でＮＯ）、制御部３０は、再びＳ３４の処理を行なう。この結果、Ｓ３４でＹＥＳと判定されるまで、ＷＡＬ機能が一時保留にされる。何故ならば、Ｓ３４及びＳ３５で共にＮＯの場合とは、運転手はまだ戻っていないが、給油作業が終了すれば、再度乗車する可能性が高い場合だからである。
【００６８】
閉鎖されていたドア１１が開放され、再び閉鎖された場合（Ｓ３５でＹＥＳ）、給油作業を終えた運転手が乗車したと考えられるため、制御部３０は、処理をＳ１３へ移す。
【００６９】
以上のような自動施錠処理において、Ｓ１１、Ｓ１８、及びＳ３３の処理を実行する制御部３０は、本発明の実施の形態における施錠制御手段又は制御手段として機能する。Ｓ１２、Ｓ１９、及びＳ３５夫々の処理を実行する制御部３０は、本発明の実施の形態における開閉判定手段として機能する。Ｓ１３及びＳ１４の処理を実行する制御部３０は、本発明の実施の形態における計時手段及び存否判定手段として機能する。
【００７０】
以上のような施錠システム５は、通信エリア内に運転手が存在しなくても、給油口の蓋１５が開放されていれば、ＷＡＬ機能を一時保留にする。この結果、降車した運転手が、給油作業を行なった後で再度乗車する心積もりであるのに、ドア１１が自動的に施錠されてしまうことを抑制することができる。従って、ドア１１を無用に施錠／解錠することによる消費電力の無駄を抑制することができる。また、無用に施錠されたドア１１を解錠するための操作が不要であるため、運転手の利便性を向上させることができる。
【００７１】
しかも、ＷＡＬ機能の一時保留であってＷＡＬ機能の完全な凍結ではないため、ドア１１が解錠されたまま長時間放置されるという不都合を抑制することができる。
ＷＡＬ機能が一時保留されている場合、運転手が通信エリア外へ移動してもアンサーバックが起こらないため、運転手は、ＷＡＬ機能が一時保留されていることに気づく。とはいえ、運転手がＷＡＬ機能の一時保留に気づかなかったとしても、運転手は短時間で再び乗車するか、さもなくば、やがて一時保留が解除されてＷＡＬ機能が働くため、特段の問題はない。
【００７２】
なお、ＷＡＬ機能の一時保留は、給油口の蓋１５が開放されている場合に替えて、例えば車輌１の窓、ボンネット、トランク、又はバックドア等が開放されている場合に行なわれる構成でもよい。
ところで、無線通信機４に、図示しないドアロック操作部が備えられている場合、ドアロック操作部が操作される都度、無線通信機４から車載制御装置３へ、ドア１１の施錠／解錠を要求する所定の無線信号（以下、要求信号という）が送信される。
【００７３】
要求信号を受信した場合、通常、制御部３０は、ドアロック機構１３へロック制御信号を出力する。この結果、ドア１１が施錠／解錠される。
このため、車室１０の内部に運転手が存在している場合、ドアロック操作部１２から操作信号が入力されるか、又は要求信号を受信したときに、制御部３０は、ドアロック機構１３へロック制御信号を出力し、次いで、自動施錠処理を終了する。このとき、ドア１１は運転手からの施錠要求に応じて施錠される。
【００７４】
また、車室１０の内部を除く通信エリア内に車室１０の内部に運転手が存在している場合、給油口の蓋１５が閉鎖されているならば、制御部３０は、ドアロック操作部１２から操作信号が入力されるか、又は要求信号を受信したときに、ドアロック機構１３へロック制御信号を出力し、次いで、自動施錠処理を終了する。このときも、ドア１１は運転手からの施錠要求に応じて施錠される。
【００７５】
一方、給油口の蓋１５が開放されているならば、制御部３０は、ドアロック操作部１２から操作信号が入力されたときであっても、また、要求信号を受信したときであっても、ロック制御信号を出力しないよう構成されていてもよい。つまり、給油口の蓋１５が開放されていると、運転手からの施錠要求が無視される。このため、給油作業に向かうべく降車した運転手が、うっかり車輌１のドアロック操作部１２を操作してしまったり、無線通信機４のドアロック操作部を操作してしまったりしたとしても、無駄な施錠が行なわれることはない。
逆に、給油口の蓋１５が開放されていても、運転手からの施錠要求があれば、ドア１１が施錠されてもよい。
【００７６】
実施の形態  ２．
図５は、本発明の実施の形態２に係る家屋６及び施錠システム７の構成を示すブロック図である。
本実施の形態の施錠システム７は、実施の形態１の施錠システム５に類似した構成である。以下では、実施の形態１との差異について説明し、その他、実施の形態１に対応する部分には同一符号を付してそれらの説明を省略する。
家屋６は、実施の形態１のドア１１に対応する玄関の扉（一の開閉体）６１と、実施の形態１のドアロック操作部１２に対応する扉ロック操作部６２と、実施の形態１のドアロック機構１３に対応する扉ロック機構６３と、実施の形態１の給油口の蓋１５に対応するベランダの窓（他の開閉体）６５とを備える。
【００７７】
窓６５を開放している場合、家人は窓６５を閉鎖してから、通勤又は買物等、長時間の外出を行なう。
一方、門前での郵便物の受け取り又は近所のゴミ集積場へのゴミ出し等（以下、ゴミ出しを例示する）のために短時間の外出を行なう場合、家人はわざわざ窓６５を閉鎖せず、開け放しにしておく。この場合、家人は、窓６５が開放されている状態で、扉ロック操作部６２を操作することによって扉６１を解錠し、更に扉６１を開放して外出する。一般に、扉６１は、勝手に閉鎖されないよう手動で固定するのでなければ、自動的に閉鎖される。外出後、家人はゴミ出しを行なう。ゴミ出しの終了後、家人は帰宅するために扉６１を開閉する。
【００７８】
施錠システム７は、実施の形態１の車載制御装置３に対応する施錠制御装置８と、無線通信機４と、実施の形態１のドア開閉検出部５１及び蓋開閉検出部５２に対応する扉開閉検出部７１及び窓開閉検出部（開閉検出部）７２と、実施の形態１の送信アンテナ部５３及び受信アンテナ部５４に対応する送信アンテナ部７３及び受信アンテナ部７４と、音声出力部７５とを備える。
無線通信機４は、実施の形態１の無線通信機４と同様の構成である。無線通信機４は、家人が携帯しているものとする。
通信エリアは、扉６１の近傍（具体的には、扉６１を介在した屋内側及び屋外側夫々の適宜の範囲）である。そして、屋内側の通信エリアが、実施の形態１における車室１０の内部に相当する。
【００７９】
施錠制御装置８は、実施の形態１の制御部３０、入力部３１、出力部３２、及び通信部３３に対応する制御部（施錠制御手段）８０、入力部８１、出力部８２、及び通信部（無線通信手段）８３を備える。
音声出力部７５は、制御部８０に制御されて、ビープ音を出力する。本実施の形態におけるアンサーバックは、実施の形態１におけるランプ１４の点滅に替えて、音声出力部７５からのビープ音の出力によって行なう。
【００８０】
施錠システム７は、窓６５が開放されている場合、実施の形態１の自動施錠処理のような手順で、ＷＡＬ機能を一時保留にする。この結果、外出した家人が、短時間で帰宅する心積もりであるのに、扉６１が自動的に施錠されてしまうことを抑制することができる。従って、扉６１を無用に施錠／解錠することによる消費電力の無駄を抑制することができる。また、無用に施錠された扉６１を解錠するための操作が不要であるため、家人の利便性を向上させることができる。
しかも、ＷＡＬ機能の一時保留であってＷＡＬ機能の完全な凍結ではないため、扉６１が解錠されたまま長時間放置されるという不都合を抑制することができる。
【００８１】
ＷＡＬ機能が一時保留されている場合、家人が通信エリア外へ移動してもアンサーバックが起こらないため、家人は、ＷＡＬ機能が一時保留されている、延いては窓６５が開放されていることに気づく。このため、長時間外出する予定の家人は、屋内へ戻って窓６５を閉鎖してから改めて外出することができる。
なお、ＷＡＬ機能の一時保留は、ベランダの窓６５が開放されている場合に替えて、例えばベランダ以外の窓、又は勝手口の引き戸等が開放されている場合に行なわれる構成でもよい。
【００８２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、車輌１又は施錠システム５，７に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８３】
１    車輌
１０  車室
１１  ドア（一の開閉体）
１５  給油口の蓋（ドアとは異なる開閉部，他の開閉体）
１６  蓋開放機構（開放部）
１７  蓋開放操作部（操作部）
３    車載制御装置（施錠制御装置）
３０  制御部（制御手段，施錠制御手段，存否判定手段，開閉判定手段，計時手段）
３３  通信部（無線通信手段）
４    無線通信機
５    施錠システム
５１  ドア開閉検出部
５２  蓋開閉検出部（開閉検出部，検出部）
【図１】
2014198938.tif 000003
【図２】
2014198938.tif 000004
【図３】
2014198938.tif 000005
【図４】
2014198938.tif 000006
【図５】
2014198938.tif 000007